(57)【要約】【課題】録画したファイルがユーザーにとって必要であるか不要であるかを簡単に分かるようにすると共に、ハードディスクの容量を常に確保することができる情報記録再生装置を提供する。【解決手段】テレビ番組の録画予約時には、予約情報に加えて録画予約操作を行うユーザーのユーザー名もメモリに設定される。録画日時になったときＨＤ残容量が録画予約ファイル容量未満であると判定されたとき、ユーザー名に対応する再生済のファイルが有れば再生済ファイルが削除され、また、ダビング済のファイルが有れば、ダビング済のファイルが削除される。ＨＤ残容量が録画予約ファイル容量以上であると判定されたとき、当該テレビ番組の予約録画が開始される。指定されたファイルのユーザー名と前記指定されたファイルを再生する際に入力されたユーザー名とが一致すると判定されたとき、再生が開始される。【選択図】図４
2009003973.tif 000002
【特許請求の範囲】
【請求項１】
記録媒体として少なくともハードディスクを備えた情報記録再生装置において、
テレビ番組の録画予約時に、録画日時とチャンネルと録画モードとを含む予約情報に加えて録画予約操作を行うユーザーのユーザー名もメモリに設定する予約情報設定手段を有する録画予約処理部と、
前記録画日時になったときに、前記ハードディスクの残りの容量であるハードディスク残容量が、録画予約のテレビ番組のファイルの容量である録画予約ファイル容量未満であると判定したとき、前記ユーザー名に対応する再生済のファイルが有れば、前記再生済ファイルを削除し、また、他の記録媒体にダビング済のファイルが有れば、前記ダビング済のファイルを削除し、前記ハードディスク残容量が前記録画予約ファイル容量以上であると判定したとき、当該テレビ番組の予約録画を開始させる予約録画開始処理部と、
前記予約録画により前記ハードディスクに録画されたファイルのうち再生したいファイルが指定された後、その指定されたファイルのユーザー名と前記指定されたファイルを再生する際に入力されたユーザー名とが一致するか否かを判定するユーザー名判定手段と、両ユーザー名が一致したとき、再生を開始させる再生開始手段とを有する再生処理部とを備えたことを特徴とする情報記録再生装置。
【請求項２】
前記予約録画開始処理部は、前記録画日時になったときに、前記ハードディスクの残りの容量であるハードディスク残容量と、録画予約のテレビ番組のファイルの容量である録画予約ファイル容量とを比較する第１の容量比較手段と、前記ハードディスク残容量が前記録画予約ファイル容量未満であると判定されたとき、再生済／ダビング済ファイルの自動削除機能が有効であるか否かを判定する自動削除機能判定手段と、前記自動削除機能が有効であると判定されたとき、ユーザー名に対応する再生済のファイルが前記ハードディスクに有るか否かを判定する再生済ファイル判定手段と、前記ユーザー名に対応する再生済のファイルが前記ハードディスクに有ると判定されたとき、前記再生済のファイルを削除する再生済ファイル削除手段と、前記ユーザー名に対応する再生済のファイルが前記ハードディスクに無いと判定されたとき、他の記録媒体にダビング済のファイルが有るか否かを判定するダビング済ファイル判定手段と、前記他の記録媒体にダビング済のファイルが有ると判定されたとき、前記ダビング済のファイルを削除するダビング済ファイル削除手段と、前記自動削除機能が無効であると判定されたとき、または前記ダビング済のファイルが無いと判定されたとき、当該テレビ番組の予約録画を中止する予約録画中止手段と、前記再生済のファイルが削除された後、または前記ダビング済のファイルが削除された後、前記ハードディスク残容量と前記録画予約ファイル容量とを比較する第２の容量比較手段と、前記ハードディスク残容量が前記録画予約ファイル容量未満であると判定されたとき、前記再生済ファイル判定手段の処理に戻る処理戻り手段と、前記ハードディスク残容量が前記録画予約ファイル容量以上であると判定されたとき、当該テレビ番組の予約録画を開始させる予約録画開始手段とを有することを特徴とする請求項１に記載の情報記録再生装置。
【請求項３】
前記再生処理部は、当該ファイルの再生が終了したとき、当該ファイルが再生済であることを示す再生済情報を前記メモリに設定する再生済情報設定手段と、当該ファイルの他の記録媒体へのダビングが終了したとき、当該ファイルがダビング済であることを示すダビング済情報を前記メモリに設定するダビング済情報設定手段とを有することを特徴とする請求項１に記載の情報記録再生装置。
【請求項４】
前記自動削除機能が有効であると判定され、前記再生済ファイル削除手段または前記ダビング済ファイル削除手段により削除されるファイルは、録画した日時が古い順に削除を行うことを特徴とする請求項２に記載の情報記録再生装置。
【請求項５】
前記予約録画開始処理部は、ファイルを削除しようとしたとき、当該ファイルのユーザー名と、ファイルを削除する際に入力されたユーザー名とが一致しないとき、または当該ファイルに対するユーザー名が複数ある場合には、当該ファイルの複数のユーザー名と、入力された複数のユーザー名とが全て一致しないとき、ディスプレイ装置に警告表示を行う警告表示手段を有することを特徴とする請求項１または請求項２に記載の情報記録再生装置。
【請求項６】
前記再生処理部は、前記ハードディスクに録画されたファイルの再生履歴をディスプレイ装置に表示させる再生履歴表示手段を有することを特徴とする請求項１または請求項３に記載の情報記録再生装置。
【発明の詳細な説明】
【技術分野】
【０００１】
本発明は、記録媒体として少なくともハードディスクを備えた情報記録再生装置に関し、特に、録画予約処理と予約録画開始処理と再生処理に関する。
【背景技術】
【０００２】
従来から、ハードディスク装置と光ディスク装置（ＤＶＤレコーダ）との複合型記録再生装置であるハードディスク付きの情報記録再生装置、ハードディスク装置とＶＣＲ（ビデオカセットレコーダ）との複合型記録再生装置であるハードディスク付きの情報記録再生装置、ハードディスク装置と光ディスク装置とＶＣＲとの複合型記録再生装置であるハードディスク付きの情報記録再生装置などが知られている。このようなハードディスク付きの情報記録再生装置において、ハードディスクは、光ディスクやビデオカセットテープに比べて容量が大容量であるので、テレビ番組を録画するのに多く使用されている。
【特許文献１】特開２００７−１２１７２号公報
【特許文献２】特開２００５−９２９７５号公報
【特許文献３】特開２００１−１６７５２２号公報
【発明の開示】
【発明が解決しようとする課題】
【０００３】
ところで、家庭内では、家族の数人のユーザーが、そのような従来の情報記録再生装置を共有して使用している場合、従来の情報記録再生装置においては、ハードディスクに録画したテレビ番組のファイルが、どのユーザーの操作によって録画されたものであるかが分からないので、当該ファイルがどのユーザーにとって必要であるか不要であるかの判別が難しく、そのため、他のユーザーにとっては必要なファイルを誤って削除したり、また不要なファイルが残っているために、ハードディスクの空き容量が不足してしまったりすると言う課題があった。
【０００４】
なお、特許文献１の従来技術では、視聴後、個々のユーザーが削除可否情報を設定し、全員が削除可とした時点で、コンテンツを自動削除するようにしているが、全員が削除可となるまでに、記録媒体には、コンテンツが増加して行き、容量不足が生じることもあり、常に記録媒体の空き容量を確保することが難しくなると言う課題が生じる。
【０００５】
特許文献２の従来技術では、録画予約されたコンテンツの予約者全ての視聴完了の確認によりコンテンツを消去しているが、予約者の全てが視聴完了するまで日数が多くかかった場合、そのうちに記録媒体の容量不足が生じることもあり、常に記録媒体の空き容量を確保することが難しくなると言う課題が生じる。
【０００６】
特許文献３の従来技術では、記録媒体の空き容量の不足が生じた場合、視聴済み番組を抽出し、古い順に削除することにより、記録媒体の空き容量を確保するようにしているが、ユーザーが数人いた場合、その視聴済み番組は、どのユーザーが視聴したかの判別が難しく、そのため、当該ユーザーにとっては必要なファイルが誤って削除されると言う課題が生じる。
【０００７】
本発明は、上記のような課題を解決するためになされたもので、ハードディスクに録画したファイルがユーザーにとって必要であるか不要であるかを簡単に分かるようにすると共に、ハードディスクの容量を常に確保することができる情報記録再生装置を提供することを目的とする。
【課題を解決するための手段】
【０００８】
上記目的を達成するために、請求項１の発明は、記録媒体として少なくともハードディスクを備えた情報記録再生装置において、テレビ番組の録画予約時に、録画日時とチャンネルと録画モードとを含む予約情報に加えて録画予約操作を行うユーザーのユーザー名もメモリに設定する予約情報設定手段を有する録画予約処理部と、前記録画日時になったときに、前記ハードディスクの残りの容量であるハードディスク残容量が、録画予約のテレビ番組のファイルの容量である録画予約ファイル容量未満であると判定したとき、前記ユーザー名に対応する再生済のファイルが有れば、前記再生済ファイルを削除し、また、他の記録媒体にダビング済のファイルが有れば、前記ダビング済のファイルを削除し、前記ハードディスク残容量が前記録画予約ファイル容量以上であると判定したとき、当該テレビ番組の予約録画を開始させる予約録画開始処理部と、前記予約録画により前記ハードディスクに録画されたファイルのうち再生したいファイルが指定された後、その指定されたファイルのユーザー名と前記指定されたファイルを再生する際に入力されたユーザー名とが一致するか否かを判定するユーザー名判定手段と、両ユーザー名が一致したとき、再生を開始させる再生開始手段とを有する再生処理部とを備えたことを特徴とする情報記録再生装置を提供する。
【０００９】
この構成においては、テレビ番組の録画予約時には、予約情報に加えて録画予約操作を行うユーザーのユーザー名もメモリに設定される。録画日時になったとき、ハードディスク残容量が録画予約ファイル容量未満であると判定されたとき、前記ユーザー名に対応する再生済のファイルが有れば、その再生済ファイルが削除され、また、他の記録媒体にダビング済のファイルが有れば、そのダビング済のファイルが削除される。ハードディスク残容量が録画予約ファイル容量以上であると判定されたとき、当該テレビ番組の予約録画が開始される。予約録画によりハードディスクに録画されたファイルのうち再生したいファイルが指定された後、その指定されたファイルのユーザー名と、前記指定されたファイルを再生する際に入力されたユーザー名とが一致すると判定されたとき、再生が開始される。
【００１０】
この構成によれば、予約情報にユーザー名も加えられるので、録画したファイルのユーザー名も分かり、これにより、録画したファイルがユーザーにとって必要であるか不要であるかを簡単に分かるようになり、必要な録画ファイルを誤って削除してしまうのを防ぐことができる。また、再生済のファイルが有れば、再生済ファイルが削除され、また、他の記録媒体にダビング済のファイルが有れば、ダビング済のファイルが削除されるので、ハードディスクの空き容量を常に確保することができる。
【００１１】
請求項２の発明では、請求項１の発明において、前記予約録画開始処理部は、前記録画日時になったときに、前記ハードディスクの残りの容量であるハードディスク残容量と、録画予約のテレビ番組のファイルの容量である録画予約ファイル容量とを比較する第１の容量比較手段と、前記ハードディスク残容量が前記録画予約ファイル容量未満であると判定されたとき、再生済／ダビング済ファイルの自動削除機能が有効であるか否かを判定する自動削除機能判定手段と、前記自動削除機能が有効であると判定されたとき、ユーザー名に対応する再生済のファイルが前記ハードディスクに有るか否かを判定する再生済ファイル判定手段と、前記ユーザー名に対応する再生済のファイルが前記ハードディスクに有ると判定されたとき、前記再生済のファイルを削除する再生済ファイル削除手段と、前記ユーザー名に対応する再生済のファイルが前記ハードディスクに無いと判定されたとき、他の記録媒体にダビング済のファイルが有るか否かを判定するダビング済ファイル判定手段と、前記他の記録媒体にダビング済のファイルが有ると判定されたとき、前記ダビング済のファイルを削除するダビング済ファイル削除手段と、前記自動削除機能が無効であると判定されたとき、または前記ダビング済のファイルが無いと判定されたとき、当該テレビ番組の予約録画を中止する予約録画中止手段と、前記再生済のファイルが削除された後、または前記ダビング済のファイルが削除された後、前記ハードディスク残容量と前記録画予約ファイル容量とを比較する第２の容量比較手段と、前記ハードディスク残容量が前記録画予約ファイル容量未満であると判定されたとき、前記再生済ファイル判定手段の処理に戻る処理戻り手段と、前記ハードディスク残容量が前記録画予約ファイル容量以上であると判定されたとき、当該テレビ番組の予約録画を開始させる予約録画開始手段とを有することを特徴とする。
【００１２】
この構成においては、録画日時になったときに、ハードディスク残容量と録画予約ファイル容量とが比較され、ハードディスク残容量が録画予約ファイル容量未満であると判定されたとき、再生済／ダビング済ファイルの自動削除機能が有効であるか否かが判定される。前記自動削除機能が有効であると判定されたとき、ユーザー名に対応する再生済のファイルが前記ハードディスクに有るか否かが判定される。前記ユーザー名に対応する再生済のファイルがハードディスクに有ると判定されたとき、前記再生済のファイルが削除される。前記ユーザー名に対応する再生済のファイルがハードディスクに無いと判定されたとき、他の記録媒体にダビング済のファイルが有るか否かを判定される。前記他の記録媒体にダビング済のファイルが有ると判定されたとき、前記ダビング済のファイルが削除される。前記自動削除機能が無効であると判定されたとき、または前記ダビング済のファイルが無いと判定されたときは、当該テレビ番組の予約録画が中止される。前記再生済のファイルが削除された後、または前記ダビング済のファイルが削除された後、前記ハードディスク残容量と前記録画予約ファイル容量とが比較される。ハードディスク残容量が録画予約ファイル容量未満であると判定されたとき、前記再生済ファイル判定手段の処理に戻る。ハードディスク残容量が録画予約ファイル容量以上であると判定されたとき、当該テレビ番組の予約録画が開始される。
【００１３】
この構成によれば、ハードディスク残容量が録画予約ファイル容量未満であり、自動削除機能が有効である場合において、再生済のファイルが有れば、再生済ファイルを削除することができる。また、ハードディスク残容量が録画予約ファイル容量未満であり、自動削除機能が有効である場合において、ユーザー名に対応する再生済のファイルがハードディスクに無くて、他の記録媒体にダビング済のファイルが有れば、ダビング済のファイルを削除することができる。
【００１４】
請求項３の発明では、請求項１の発明において、前記再生処理部は、当該ファイルの再生が終了したとき、当該ファイルが再生済であることを示す再生済情報を前記メモリに設定する再生済情報設定手段と、当該ファイルの他の記録媒体へのダビングが終了したとき、当該ファイルがダビング済であることを示すダビング済情報を前記メモリに設定するダビング済情報設定手段とを有することを特徴とする。
【００１５】
この構成においては、当該ファイルの再生が終了したとき、当該ファイルが再生済であることを示す再生済情報がメモリに設定されるので、その再生済情報により当該ファイルが再生済であるか否かの判定が可能になる。また、当該ファイルの他の記録媒体へのダビングが終了したとき、当該ファイルがダビング済であることを示すダビング済情報がメモリに設定されるので、そのダビング済情報により当該ファイルがダビング済であるか否かの判定が可能になる。
【００１６】
請求項４の発明では、請求項２の発明において、前記自動削除機能が有効であると判定され、前記再生済ファイル削除手段または前記ダビング済ファイル削除手段により削除されるファイルは、録画した日時が古い順に削除を行うようにしたので、削除対象のファイルの検索処理が速くでき、ファイル削除処理が速く終了させることができる。
【００１７】
請求項５の発明では、請求項１または請求項２の発明において、前記予約録画開始処理部は、ファイルを削除しようとしたとき、当該ファイルのユーザー名と、ファイルを削除する際に入力されたユーザー名とが一致しないとき、または当該ファイルに対するユーザー名が複数ある場合には、当該ファイルの複数のユーザー名と、入力された複数のユーザー名とが全て一致しないとき、ディスプレイ装置に警告表示を行う警告表示手段を有するので、必要な録画ファイルを誤って削除してしまうのを確実に防止することができるようになる。
【００１８】
請求項６の発明では、請求項１または請求項３の発明において、前記再生処理部は、前記ハードディスクに録画されたファイルの再生履歴をディスプレイ装置に表示させる再生履歴表示手段を有するので、どのユーザーが、どの録画ファイルを視聴済かが容易に知ることができるようになる。
【発明の効果】
【００１９】
以上のように本発明によれば、予約情報にユーザー名も加えられるので、録画したファイルのユーザー名も分かり、これにより、録画したファイルがユーザーにとって必要であるか不要であるかを簡単に分かるようになり、必要な録画ファイルを誤って削除してしまうのを防ぐことができる。また、再生済のファイルが有れば、再生済ファイルが削除され、また、他の記録媒体にダビング済のファイルが有れば、ダビング済のファイルが削除されるので、ハードディスクの空き容量を常に確保することができる。
【発明を実施するための最良の形態】
【００２０】
以下、添付図面を参照しつつ、本発明の実施の形態について説明する。図１は本発明の一実施形態に係る情報記録再生装置としての複合型記録再生装置（ハードディスク付き情報記録再生装置）の構成を示すブロック図である。ここでは、情報記録再生装置としては、ハードディスク装置（ハードディスクレコーダ）と光ディスク装置（ＤＶＤレコーダ）とが組み込まれた複合型記録再生装置について説明するが、ハードディスク装置とＶＣＲ（ビデオカセットレコーダ）とが組み込まれた複合型記録再生装置、ハードディスク装置と光ディスク装置とＶＣＲとが組み込まれた複合型記録再生装置でも良い。また、情報記録再生装置としては単体のハードディスク装置でも良く、そして、ハードディスクに録画されたファイルのダビング先は、ハードディスク装置に接続された場合の光ディスク装置の光ディスクやＶＣＲのビデオカセットテープであっても良い。
【００２１】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共に、システムコントローラ１０の動作に必要なプログラムやデータ、あるいは予約情報などを記憶するフラッシュＲＯＭ６と、システムコントローラ１０の動作に必要なデータを一時的に記憶するＲＡＭ１６とを備えている。
【００２２】
また、この複合型記録再生装置１は、デコーダ５で復号された映像信号をテレビジョン受像機１３のディスプレイ装置１３１で表示可能な映像信号に変換する映像出力部７と、録画予約画面、ファイル一覧、番組表、再生履歴などをテレビジョン受像機１３のディスプレイ装置１３１に表示させるためのＯＳＤ（オン・スクリーン・ディスプレイ）部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２３】
システムコントローラ１０は、テレビ番組の録画予約時に、録画日時（録画日、録画開始時刻、録画終了時刻）とチャンネルと録画モードとを含む予約情報に加えて、録画予約操作を行うユーザーのユーザー名もフラッシュＲＯＭ６に設定する予約情報設定手段を有する録画予約処理部１０１と、前記録画日時になったときに、ＨＤ１４の残りの容量であるＨＤ残容量が、録画予約のテレビ番組のファイルの容量である録画予約ファイル容量未満であると判定したとき、前記ユーザー名に対応する再生済のファイルが有れば、前記再生済ファイルを削除し、また、他の記録媒体（例えば光ディスク１５）にダビング済のファイルが有れば、前記ダビング済のファイルを削除し、前記ＨＤ残容量が前記録画予約ファイル容量以上であると判定したとき、当該テレビ番組の予約録画を開始させる予約録画開始処理部１０２と、前記予約録画によりＨＤ１４に録画されたファイルのうち再生したいファイルが指定された後、その指定されたファイルのユーザー名と前記指定されたファイルを再生する際に入力されたユーザー名とが一致するか否かを判定するユーザー名判定手段と、両ユーザー名が一致したとき、再生を開始させる再生開始手段とを有する再生処理部１０３とを備えている。
【００２４】
予約録画開始処理部１０２は、録画日時になったときに、ＨＤ１４の残りの容量であるＨＤ残容量と、録画予約のテレビ番組のファイルの容量である録画予約ファイル容量とを比較する第１の容量比較手段と、ＨＤ残容量が前記録画予約ファイル容量未満であると判定されたとき、再生済／ダビング済ファイルの自動削除機能が有効であるか否かを判定する自動削除機能判定手段と、前記自動削除機能が有効であると判定されたとき、ユーザー名に対応する再生済のファイルがＨＤ１４に有るか否かを判定する再生済ファイル判定手段と、前記ユーザー名に対応する再生済のファイルがＨＤ１４に有ると判定されたとき、前記再生済のファイルを削除する再生済ファイル削除手段と、前記ユーザー名に対応する再生済のファイルがＨＤ１４に無いと判定されたとき、他の記録媒体（例えば光ディスク１５）にダビング済のファイルが有るか否かを判定するダビング済ファイル判定手段と、他の記録媒体（例えば光ディスク１５）にダビング済のファイルが有ると判定されたとき、前記ダビング済のファイルを削除するダビング済ファイル削除手段と、前記自動削除機能が無効であると判定されたとき、または前記ダビング済のファイルが無いと判定されたとき、当該テレビ番組の予約録画を中止する予約録画中止手段と、前記再生済のファイルが削除された後、または前記ダビング済のファイルが削除された後、ＨＤ残容量と録画予約ファイル容量とを比較する第２の容量比較手段と、ＨＤ残容量が録画予約ファイル容量未満であると判定されたとき、前記再生済ファイル判定手段の処理に戻る処理戻り手段と、ＨＤ残容量が前記録画予約ファイル容量以上であると判定されたとき、当該テレビ番組の予約録画を開始させる予約録画開始手段と、ファイルを削除しようとしたとき、当該ファイルのユーザー名と、ファイルを削除する際に入力されたユーザー名とが一致しないとき、または当該ファイルに対するユーザー名が複数ある場合には、当該ファイルの複数のユーザー名と、入力された複数のユーザー名とが全て一致しないとき、ディスプレイ装置に警告表示を行う警告表示手段を有する。
【００２５】
再生処理部１０３は、当該ファイルの再生が終了したとき、当該ファイルが再生済であることを示す再生済情報をフラッシュＲＯＭ６に設定する再生済情報設定手段と、当該ファイルの他の記録媒体（例えば光ディスク１５）へのダビングが終了したとき、当該ファイルがダビング済であることを示すダビング済情報をフラッシュＲＯＭ６に設定するダビング済情報設定手段と、ＨＤ１４に録画されたファイルの再生履歴をディスプレイ装置１３１に表示させる再生履歴表示手段とを有する。
【００２６】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、機能一覧キー２１７、上方向キー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、ＨＤＤモード切換キー２３１、ＤＶＤモード切換キー２３２、番組表キー２３３などが配置されている。なお、ここでのキーの配置、キーの種類、およびキーの個数は一例であるので、これに限ることはない。
【００２７】
図３は本実施形態においてテレビ番組を録画予約する際の処理を説明するためのフローチャートである。このフローチャートおよび図１、図２を参照してテレビ番組を録画予約する際の処理について説明する。
【００２８】
先ず、ユーザーは、テレビジョン受像機１３のディスプレイ装置１３１に録画予約画面を表示させるため、リモコン１１の機能一覧キー２１７を押下して、機能一覧画面をディスプレイ装置１３１に表示させ、その機能一覧画面にて録画予約の項目を選択すると、システムコントローラ１０は、録画予約画面表示操作がされたと判定し（ステップＳ１）、フラッシュＲＯＭ６から録画予約画面データを読み出し、ＯＳＤ部１２でＯＳＤ処理をさせ、更に、映像出力部７で録画予約画面の映像信号に変換して、この映像信号をディスプレイ装置１３１に供給することにより、ディスプレイ装置１３１に録画予約画面を表示させる（ステップＳ２）。なお、リモコン１１の番組表２３３を押下して、ディスプレイ装置１３１に番組表を表示させて、番組表から録画予約したい番組を選択しても、同様に録画予約画面をディスプレイ装置１３１に表示させることもできる。
【００２９】
そして、ユーザーがリモコン１１を操作して、録画したいテレビ番組に関する録画日時とチャンネルと録画モードとを含む予約情報が入力されたことを、システムコントローラ１０が検出すると（ステップＳ３）、録画予約処理部１０１の予約情報設定手段は、フラッシュＲＯＭ６に前記予約情報を設定し（ステップＳ４）、更に、録画予約するユーザーのユーザー名が入力されたことを検出すると（ステップＳ５）、そのユーザー名も前記予約情報に加えてフラッシュＲＯＭ６に設定する（ステップＳ６）。そして、録画予約が完了すると（ステップＳ７）、この録画予約処理が終了する。
【００３０】
図４は本実施形態において録画予約されたテレビ番組の予約録画を開始するまでの処理を説明するためのフローチャートである。このフローチャートおよび図１、図２を参照して録画予約されたテレビ番組の予約録画を開始するまでの処理について説明する。
【００３１】
システムコントローラ１０の録画予約処理部１０１の第１の容量比較手段は、図示しないタイマにより計時されている日時が、録画予約時にフラッシュＲＯＭ６に記憶された録画日時（録画日および録画開始時刻）になったことを検出したとき（ステップＮ１）、ＨＤ１４の残りの容量であるＨＤ残容量と、録画予約のテレビ番組のファイルの容量である録画予約ファイル容量とを比較する（ステップＮ２）。即ち、第１の容量比較手段は、ハードディスク装置３に対してＨＤ１４からディスク管理情報を読み出すように指示し、ディスク管理情報に含まれるＨＤ残容量を取得し、このＨＤ残容量と、録画予約されたテレビ番組に対して録画時間（放送時間）および録画モードに基づいて算出された録画予約ファイル容量とを比較する。
【００３２】
前記ＨＤ残容量が前記録画予約ファイル容量未満であると判定されたとき（ステップＮ３）、このままでは録画できないので、予約録画開始処理部１０２の自動削除機能判定手段は、再生済／ダビング済ファイルの自動削除機能が有効であるか否かを判定する（ステップＮ４）。この自動削除機能を有効にするか無効にするかの設定は、事前にユーザーのリモコン１１の操作により行われ、自動削除機能をオンに設定した場合は、自動削除機能は有効となり、該当するファイルを自動的に削除し、自動削除機能をオフに設定した場合は、自動削除機能は無効となり、ファイルを自動的には削除しない。
【００３３】
前記自動削除機能が有効であると判定されたとき（ステップＮ４）、予約録画開始処理部１０２の再生済ファイル判定手段は、ユーザー名に対応する再生済のファイルがＨＤ１４に有るか否かを判定する（ステップＮ５）。即ち、再生済のファイルは、このファイルの再生終了時に、再生済情報がファイル名に対応させてフラッシュＲＯＭ６に記憶されているので、前記再生済ファイル判定手段は、再生済情報が付されているファイル名が有るときは、ユーザー名に対応する再生済のファイルがＨＤ１４に有ると判定し、再生済情報が付されているファイル名が無ければ、ユーザー名に対応する再生済のファイルがＨＤ１４に無いと判定する。
【００３４】
前記ユーザー名に対応する再生済のファイルがＨＤ１４に有ると判定されたとき、予約録画開始処理部１０２の再生済ファイル削除手段は、ハードディスク装置３を削除動作させ、ＨＤ１４から前記再生済ファイルを録画した日時が古い順に削除する（ステップＮ８）。この削除処理は、ＨＤ１４の空き容量が減少し、予約録画ができなくなり、予約録画の失敗を防ぐために、ユーザーが視聴したファイルを、録画した日時が古い順に自動削除し、予約録画番組に必要なＨＤ１４の空き容量を確保するために行われる。ただし、リモコン１１の保護操作により保護が設定されたファイルは削除しない。また、事前に自動削除機能のオン／オフ設定で、オフに設定されている場合は、自動削除は行われず、オンに設定されている場合のみ自動削除が行われる。
【００３５】
また、この場合、或るテレビ番組を録画したユーザーが一人であれば、そのユーザー名に対応する再生済のファイルを削除することになるが、そのテレビ番組を録画したユーザーが複数人居れば、全員がそのテレビ番組を視聴してからでないと、削除できないので、予約録画開始処理部１０２の警告表示手段は、そのテレビ番組のファイルの複数のユーザー名と、そのファイルの削除の際にリモコン１１の操作により入力された複数のユーザー名とが一致しなければ、ディスプレイ装置１３１に警告表示を行う。
【００３６】
例えば、同じテレビ番組を録画したユーザーが３人居て、そのユーザーをＡ，Ｂ，Ｃとし、ユーザーＡだけが、そのテレビ番組を再生していないと仮定すると、ディスプレイ装置１３１には、例えば、「ユーザーＡは未だ再生していませんが削除しますか？」と言うような警告メッセージが表示される。このような警告メッセージにより、必要なファイルが削除されるのを防ぐことができる。また、どのユーザーが当該テレビ番組のファイルを視聴済であるかが分かるように、再生処理部１０３の再生履歴表示手段は、ファイルの再生履歴をディスプレイ装置１３１に表示させる。前記再生履歴は、再生されたファイルのファイル名をフラッシュＲＯＭ６に記憶させておくことにより得ることができる。
【００３７】
前記ユーザー名に対応する再生済のファイルがＨＤ１４に無いと判定されたときは、予約録画開始処理部１０２のダビング済ファイル判定手段は、他の記録媒体、この場合、光ディスク１５にダビング済みのファイルが有るか否かを判定する（ステップＮ６）。即ち、ダビング済のファイルは、このファイルのダビング終了時に、ダビング済情報がファイル名に対応させてフラッシュＲＯＭ６に記憶されているので、前記ダビング済ファイル判定手段は、ダビング済情報が付されたファイル名が有るとき、ダビング済のファイルがＨＤ１４に有ると判定し、ダビング済情報が付されたファイル名が無ければ、ダビング済のファイルがＨＤ１４に無いと判定する。光ディスク１５にダビング済みのファイルがＨＤ１４に有ると判定されたとき、予約録画開始処理部１０２のダビング済ファイル削除手段は、ハードディスク装置３を削除動作させ、ＨＤ１４から前記ダビング済ファイルを削除する（ステップＮ７）。
【００３８】
前記ダビング済のファイルが無いと判定されたとき、予約録画開始処理部１０２の予約録画中止手段は、ハードディスク装置３を録画動作させず、当該テレビ番組の予約録画を中止する（ステップＮ１３）。前記再生済ファイルが削除された後、または前記ダビング済ファイルが削除された後、予約録画開始処理部１０２の第２の容量比較手段は、ＨＤ残容量と録画予約ファイル容量とを比較する（ステップＮ９）。即ち、第２の容量比較手段は、ハードディスク装置３に対してＨＤ１４からディスク管理情報を読み出すように指示し、ディスク管理情報に含まれるＨＤ残容量を取得し、このＨＤ残容量と、録画予約されたテレビ番組に対して録画時間（放送時間）および録画モードに基づいて算出された録画予約ファイル容量とを比較する。
【００３９】
前記ＨＤ残容量が前記録画予約ファイル容量未満であると判定されたとき（ステップＮ１０）、予約録画開始処理部１０２の処理戻り手段は、再生済ファイル判定手段の処理（ステップＮ５）に戻し、以下同様な処理を行う。一方、前記ＨＤ残容量が前記録画予約ファイル容量以上であると判定されたとき（ステップＮ１０）、予約録画開始処理部１０２の予約録画開始手段は、当該テレビ番組の予約録画を開始させる（ステップＮ１１）。そして、システムコントローラ１０は、図示しないタイマで計時されている時刻が予約情報に含まれる録画終了時刻になったことを検出したとき、ハードディスク装置３に対して録画終了指示を行い（ステップＮ１２）、当該テレビ番組の録画を終了させる。
【００４０】
図５は本実施形態において予約録画されたテレビ番組を再生する処理について説明するためのフローチャートである。このフローチャートおよび図１、図２を参照して予約録画されたテレビ番組を再生する処理について説明する。
【００４１】
先ず、リモコン１１の再生リストキー２１６が押下されると、システムコントローラ１０は、再生リスト表示操作がされたと判定し（ステップＭ１）、ハードディスク装置３に対してＨＤ１４からファイル一覧データを読み出すように指示し、読み出されたファイル一覧データをＯＳＤ部１２でＯＳＤ処理をさせ、更に映像出力部７でファイル一覧の映像信号に変換して、この映像信号をディスプレイ装置１３１に供給することにより、ディスプレイ装置１３１にファイル一覧を表示させる（ステップＭ２）。
【００４２】
そして、ユーザーが、ファイル一覧を見て、リモコン１１の上方向キー２１８や下方向キー２１９を操作して、再生したいファイルを選択して、決定キー２２２を押下すると、システムコントローラ１０は、再生したいファイルが指定されたと判定し（ステップＭ３）、更に、その指定されたファイルのユーザー名が指定されたことを検出すると（ステップＭ４）、ユーザー名判定手段により、その指定されたファイルのユーザー名と、リモコン１１を操作して前記指定されたファイルを再生する際に入力されたユーザー名とが一致するか否かを判定する（ステップＭ５）。
【００４３】
指定されたファイルのユーザー名と、前記入力されたユーザー名とが一致すると判定されたとき、システムコントローラ１０の再生処理部１０３の再生開始手段は、ハードディスク装置３に対して再生開始指示を与え、ＨＤ１４から前記指定されたファイルの再生を開始させる（ステップＭ６）。そして、システムコントローラ１０が当該ファイルの再生の終了を検出すれば（ステップＭ７）、再生処理部１０３の再生済情報設定手段は、当該ファイルの再生済情報をファイル名に対応させてフラッシュＲＯＭ６に設定する（ステップＭ８）。その再生済情報は、前述した図４に示すステップＮ５の処理に用いられる。
【００４４】
以上説明したように本実施形態によれば、予約情報にユーザー名も加えられるので、録画したファイルのユーザー名も分かり、これにより、録画したファイルがユーザーにとって必要であるか不要であるかを簡単に分かるようになり、必要な録画ファイルを誤って削除してしまうのを防ぐことができる。また、再生済のファイルが有れば、再生済ファイルが削除され、また、他の記録媒体にダビング済のファイルが有れば、ダビング済のファイルが削除されるので、ハードディスクの空き容量を常に確保することができる。
【産業上の利用可能性】
【００４５】
本発明は、少なくともハードディスクを備えた情報記録再生装置に利用可能であり、ユーザーが複数人であっても、録画したファイルが必要であるか不要であるかを簡単に分かるようになり、また、ハードディスクの空き容量を常に確保することができる。
【図面の簡単な説明】
【００４６】
【図１】本発明の一実施形態に係る情報記録再生装置としての複合型記録再生装置の構成を示すブロック図である。
【図２】前記実施形態においてリモコンのキー配置の一例を示す図である。
【図３】前記実施形態においてテレビ番組を録画予約する際の処理を説明するためのフローチャートである。
【図４】前記実施形態において録画予約されたテレビ番組の予約録画を開始するまでの処理を説明するためのフローチャートである。
【図５】前記実施形態において予約録画されたテレビ番組を再生する処理について説明するためのフローチャートである。
【符号の説明】
【００４７】
１    複合型記録再生装置（情報記録再生装置）
６    フラッシュＲＯＭ（メモリ）
１４    ハードディスク
１５    光ディスク（他の記録媒体）
１０１    録画予約処理部
１０２    予約録画開始処理部
１０３    再生処理部
【図１】
2009003973.tif 000003
【図２】
2009003973.tif 000004
【図３】
2009003973.tif 000005
【図４】
2009003973.tif 000006
【図５】
2009003973.tif 000007